(57)【要約】【課題】電力需要と熱需要のアンバランスを解決しながら、各所からの熱を効率良く運用する吸収冷凍システムを提供する。【解決手段】水素を主成分とする燃料と酸化剤との電気化学的反応により発電する燃料電池２からの排熱を貯える貯湯槽１と、貯湯槽１に貯えられた熱を熱源として運転し、冷熱を発生し、該冷熱を冷熱需要先６に供給する吸収冷凍機３と、燃料電池２又は吸収冷凍機３からの排熱を放散する冷却塔５と、貯湯槽１に熱を供給しながら冷熱を発生し、該冷熱を冷熱需要先に供給する圧縮冷凍機７とを備える吸収冷凍システム。【選択図】  図１
2004211979.tif 000002
【特許請求の範囲】
【請求項１】
水素を主成分とする燃料と酸化剤との電気化学的反応により発電する燃料電池からの排熱を貯える貯湯槽と；
前記貯湯槽に貯えられた熱を熱源として運転し、冷熱を発生し、該冷熱を冷熱需要先に供給する吸収冷凍機と；
前記燃料電池又は前記吸収冷凍機からの排熱を放散する冷却塔と；
前記貯湯槽に熱を供給しながら冷熱を発生し、該冷熱を冷熱需要先に供給する圧縮冷凍機とを備える；
吸収冷凍システム。
【請求項２】
前記吸収冷凍機は、二段吸収冷凍機である、請求項１に記載の吸収冷凍システム。
【発明の詳細な説明】
【０００１】
【発明の属する技術分野】
本発明は、吸収冷凍システムに関し、特に燃料電池からの排熱を利用できる吸収冷凍システムに関するものである。
【０００２】
【従来の技術】
従来から、一般家庭向けの燃料電池とその排熱で給湯や暖房を行うコージェネレーションシステムが、次世代の分散型エネルギー供給システムとして期待されており、燃料電池に吸収冷凍機などの空調機を組合せたシステムがあった（例えば特許文献１参照）。
【０００３】
【特許文献１】
特開２０００−２７４７３４号公報（段落００１１、図１、図３、図４、図５、図６、図７）
【０００４】
【発明が解決しようとする課題】
以上のような従来のシステムでは、電力需要に比べて冷熱需要が多い場合は、別の機器によって冷熱を補填する必要がある。また、冷熱需要に比べて電力需要が多い場合は、せっかくの排温水が利用されずに環境に放熱されていた。
【０００５】
そこで本発明は、電力需要と熱需要のアンバランスを解決しながら、各所からの熱を効率良く運用する吸収冷凍システムを提供することを目的としている。
【０００６】
【課題を解決するための手段】
上記目的を達成するために、請求項１に係る発明による吸収冷凍システムは、例えば図１に示されるように、水素を主成分とする燃料と酸化剤との電気化学的反応により発電する燃料電池２からの排熱を貯える貯湯槽１と；貯湯槽１に貯えられた熱を熱源として運転し、冷熱を発生し、該冷熱を冷熱需要先６に供給する吸収冷凍機３と；燃料電池２又は吸収冷凍機３からの排熱を放散する冷却塔５と；貯湯槽１に熱を供給しながら冷熱を発生し、該冷熱を冷熱需要先に供給する圧縮冷凍機７とを備える。
【０００７】
冷却塔は水を充填材に散布して蒸発熱で水を冷却する潜熱利用冷却塔の他、空気との顕熱熱交換により冷却媒体を冷却する顕熱利用冷却塔であってもよい。
【０００８】
このように構成すると、燃料電池からの排熱を貯える貯湯槽を備えるので、冷熱需要に拘わらず燃料電池の運転が可能であり、貯湯槽に貯えられた熱を熱源として運転し、冷熱を発生し、該冷熱を冷熱需要先に供給する吸収冷凍機を備えるので、燃料電池の発電量にかかわらず冷熱需要先に冷熱を供給することができ、燃料電池又は吸収冷凍機からの排熱を放散する冷却塔を備えるので、貯湯槽が満杯になっても発電することが可能であり、貯湯槽に熱を供給しながら冷熱を発生し、該冷熱を冷熱需要先に供給する圧縮冷凍機を備えるので、吸収冷凍機による冷熱発生量が不足する場合に、効率良く冷熱量を補填することができる。
【０００９】
また請求項２に記載のように、請求項１に記載の吸収冷凍システムでは、前記吸収冷凍機は、例えば図６に示すような二段吸収冷凍機３ａであるものとしてもよい。
【００１０】
このように構成すると、二段吸収冷凍機を備えるので、燃料電池からの排熱のように比較的低温の加熱源による運転で、低温の冷熱を得ることが可能となる。
【発明の実施の形態】
以下、本発明の実施の形態について、図面を参照して説明する。なお、各図において互いに同一あるいは相当する部材には同一符号あるいは類似符号を付し、重複した説明は省略する。
【００１１】
本発明の第１の実施の形態の吸収冷凍システムを、図１のフロー図を参照しながら説明する。本吸収冷凍システムは、貯湯漕１、燃料電池２、吸収冷凍機３、給湯器４、冷却塔５、室内空調機６、電気圧縮冷凍機７を含んで構成されている。
【００１２】
貯湯漕１は、燃料電池２とは温水配管（貯湯槽１から見れば温水配管、燃料電池２の側から見れば冷却水配管）１６、１６ｂで接続されており、吸収冷凍機３とは温水配管１３、１３ｂで接続されており、給湯器４とは温水配管１１で接続されており、電気圧縮冷凍機７とは温水配管１２、１２ｂで接続されている。また、電気圧縮冷凍機７と室内空調機６とは冷水配管１５、１５ａで接続され、吸収冷凍機３と室内空調機６とは冷水配管１４、１４ｂで接続されている。
冷却塔５と、燃料電池２は冷却水配管１７、１７ａで、吸収冷凍機３とは冷却水配管１８、１８ｂで接続されている。
【００１３】
温水配管１６は燃料電池２から貯湯槽１に温水（燃料電池２側から見れば冷却水）を供給する配管であり、途中にポンプ１６ａが挿入配置されている。温水配管１６ｂは貯湯槽１から燃料電池２に冷却水を供給する配管である。
【００１４】
温水配管１３ｂは貯湯槽１から吸収冷凍機３に温水を供給する配管であり、途中にポンプ１３ａが挿入配置されている。配管１３は吸収冷凍機３から貯湯槽１に温水を戻す配管である。
【００１５】
温水配管１１は貯湯漕１から給湯器４に温水を供給する配管であり、途中にポンプ１１ａが挿入配置されている。
【００１６】
温水配管１２は電気圧縮冷凍機７から貯湯槽１に温水（電気圧縮冷凍機７側から見れば冷却水）を供給する配管であり、途中にポンプ１２ａが挿入配置されている。配管１２ｂは貯湯槽１から電気圧縮冷凍機７に冷却水を供給する配管である。また、冷却水配管１８は吸収冷凍機から冷却塔５に冷却水を送る配管であり、途中にポンプ１８ａが挿入配置されている。配管１８ｂは冷却塔５から吸収冷凍機３に冷却水を供給する配管である。
【００１７】
なお、配管１８ａは配管１７に合流して冷却塔に冷却水を送るように、また配管１８ｂは配管１７ａから分岐して吸収冷凍機３に冷却水を供給するように構成されており、配管１７は配管１６から分岐して冷却塔に冷却水を送るように、また配管１７ａは配管１６ｂに合流して燃料電池２に冷却水を送るように構成され、配管１５は配管１４のポンプ１４ａの吸込側に合流して電気圧縮冷凍機７から室内空調機６に冷水を送り、配管１５ａは配管１４ｂから分岐して室内空調機６から電気圧縮冷凍機７に冷水を戻すように構成されている。
配管１６と配管１７との分岐点には、切替弁１６ｃを設ける。切替弁１６ｃは、ポンプ１６ａからの冷却水を貯湯槽１に送るか冷却塔５に送るかを切り替える。典型的には三方弁であるが、二方弁を２個組み合わせて構成してもよい。
【００１８】
引き続き図１を参照して第１の実施の形態の吸収冷凍システムの作用を説明する。燃料電池２は後述のように発電に伴って排熱を出す。この排熱の温度は５０〜８０℃程度であり、配管１６を通して貯湯漕１に送られ、温水の形で蓄えられる。貯湯槽１内の低温の冷却水は、配管１６ｂを通して燃料電池２に送られる。
【００１９】
吸収冷凍機３は後述のように冷媒の蒸発で管内の冷水を冷却する蒸発器と、冷媒蒸気を吸収し蒸発圧力を保つ吸収器と、冷媒を吸収した希溶液を濃縮し冷媒を分離する発生器と、発生器で発生した冷媒蒸気を凝縮する凝縮器などからなり、貯湯漕１の温水が配管１３ｂを通して発生器の熱源として供給されて、蒸発器で冷水を作り、配管１４を通して室内空調機６に供給する。
吸収冷凍機３の吸収器および凝縮器で冷媒の吸収および凝縮に伴って発生する熱で温度の上昇した冷却水は、配管１８を通して冷却塔５に送られて、ここから外気に放熱される。
発生器で温度の低下した温水は、配管１３を通して貯湯漕１に戻される。
また、室内空調機６で温度の上昇した冷水は、配管１４ｂを通して吸収冷凍機３の蒸発器に戻され、冷却塔５で放熱して温度の低下した冷却水は、配管１８ｂを通して吸収冷凍機３の吸収器および凝縮器に戻される。
【００２０】
また、貯湯漕１の温水を熱源として、給湯機４から温水を取り出すことができ、炊事、洗濯、浴槽などに温水を供給するとともに、冬期は温水による暖房を行う。貯湯槽１からは配管１１を通して給湯機４に温水が供給される。
【００２１】
電気圧縮冷凍機７は後述のように冷媒の蒸発で管内の冷水を冷却する蒸発器と、蒸発した冷媒蒸気を圧縮する圧縮機と、圧縮された冷媒蒸気から熱を奪って凝縮させる凝縮器と、凝縮した冷媒を膨張させる絞り装置などからなり、蒸発器で作られた冷水を配管１５を通して室内機６に供給し、室内機６での冷熱量を補填するとともに、凝縮器からの放熱を配管１２を通して貯湯漕１に供給し、貯湯槽１の加熱に利用する。
【００２２】
貯湯漕１が温水で満杯になった場合は、切替弁１６ｃを切り替えて燃料電池２の排熱を配管１６、１７で冷却塔５に導き、ここで放熱することによって、燃料電池２での発電を継続することができる。冷却塔５からは配管１７ａ、１６ｂを通して、燃料電池２に冷却水が戻される。
【００２３】
図２のフロー図を参照して、本発明の第２の実施の形態の吸収冷凍システムを説明する。第２の実施の形態では、第１の実施の形態の構成に以下の点が追加されている。
【００２４】
貯湯漕１には、消費された、あるいは蒸発して減少した温水を補充するために水道水を配管２０ａを通して供給する。貯湯槽１の水道水流入側である配管２０ａに熱交換器９を設置する。熱交換器９の水道水流出側と貯湯槽１の流入側とは配管２０ｂで接続されている。熱交換器９では、配管１９ａを通して供給され、配管１９ｂを通して戻される冷却水と前記水道水との間で熱交換させる。配管１９ａは配管１８のポンプ１８ａ吐出側から分岐し、配管１９ｂは配管１８ｂに合流している。
配管１８と配管１９ａとの分岐点には、切替弁１８ｃを設ける。切替弁１８ｃは切替弁１６ｃと同様な作用をする弁であり、ポンプ１８ａからの冷却水を熱交換器９に送るか冷却塔５に送るかを切り替える。典型的には三方弁であるが、二方弁を２個組み合わせて構成してもよい。
【００２５】
このような構造で、吸収冷凍機３の吸収器および凝縮器から出る熱を、貯湯漕１に流入する水道水の予熱に利用する。吸収冷凍機３の吸収熱および凝縮熱は、その温度が３０〜４０℃程度であり、１０〜２０℃程度の水道水の予熱に十分利用できる。
【００２６】
太陽熱集熱器８を設置し、太陽熱集熱器８と貯湯槽１とを温水配管２１と２１ｂで接続する。太陽熱集熱器８から貯湯槽１への配管２１には、温水ポンプ２１ａが挿入配置されている。このような構造で、太陽熱集熱器８において太陽熱で暖められた温水を貯湯漕１に供給する。貯湯槽１内の低温の水は、配管２１ｂを通して太陽熱集熱器８に戻される。
【００２７】
図３のフロー図を参照して、本発明の実施の形態で使用する燃料電池２の一例を説明する。この例では固体高分子型燃料電池を利用する。燃料電池２は、固体高分子膜とセパレータを積層した燃料電池スタック２ａと、燃料電池スタック２ａに水素を主成分とする燃料を供給する改質装置２ｂとを含んで構成されている。
【００２８】
改質装置２ｂは、天然ガスのような改質用原料と空気を加熱用燃料で加熱して、水素を主成分とする燃料に改質する。改質された燃料と、酸化剤とを燃料電池スタック２ａに供給し、電気化学的反応により発電する。この発電の過程で発熱するので、配管１６ｂを通して燃料電池スタックに供給される低温の冷却水で冷却し、５０〜８０℃程度に温度の上昇した冷却水を配管１６を通して戻す。
ここでは配管１６ｂからの冷却水は、燃料電池スタック２ａに供給されるものとして説明したが、改質装置２ｂに、又は燃料電池スタック２ａと改質装置２ｂの両方に供給されるようにしてもよい。改質装置２ｂでもかなりの量の発熱があるからである。
【００２９】
図４のフロー図を参照して、本発明の実施の形態で使用する吸収冷凍機３の一例を説明する。この例では、吸収剤として臭化リチウムを、冷媒として水を利用する単効用吸収冷凍機を用いるものとする。
【００３０】
吸収冷凍機３は、冷媒を蒸発して配管１４ｂを通して供給される冷水を冷却する蒸発器３Ｅと、蒸発器３Ｅで蒸発した冷媒を吸収剤で吸収する吸収器３Ａと、吸収器３Ａで冷媒を吸収して低濃度になった希溶液を加熱して濃度を高めて再生する再生器３Ｇと、再生器３Ｇで放出された冷媒ガスを冷却水で冷却して凝縮する凝縮器３Ｃと、吸収器３Ａから再生器３Ｇに送られる希溶液と再生器３Ｇから吸収器３Ａに戻される濃溶液との間で熱交換させる溶液熱交換器３ＥＸとを含んで構成されている。冷却された冷水は、配管１４を通して戻される。
【００３１】
再生器３Ｇでは、溶液は配管１３ｂを通して供給される温水で加熱され、温度の低下した温水は配管１３を通して戻される。吸収器３Ａでは、吸収剤は冷媒を吸収する際に吸収熱を発生するが、この熱は配管１８ｂを通して供給される冷却水に放熱される。温度の上昇した冷却水は配管１８を通して戻される。
【００３２】
吸収器３Ａから再生器３Ｇに希溶液を送るための溶液ポンプが吸収器３Ａの下方に設置されている。また吸収器３Ａでは、ポンプにより溶液を伝熱チューブの上に散布して溶液を冷却している。また蒸発器で冷媒を伝熱チューブの上に散布する冷媒ポンプを備える。凝縮器３Ｃで凝縮された冷媒液は、蒸発器３Ｅに戻される。
【００３３】
図５のフロー図を参照して、本発明の実施の形態で使用する圧縮冷凍機７の一例を説明する。この例では、圧縮機を電動機で駆動する電気圧縮冷凍機の場合を説明する。電気圧縮冷凍機７は、冷媒（例えばフロン）を蒸発して、配管１５ａを通して供給される冷水を冷却する蒸発器７Ｅと、蒸発器７Ｅで蒸発した冷媒を吸入して圧縮する電気圧縮機７ＣＯＭと、圧縮機７ＣＯＭで圧縮された冷媒を、配管１２ｂを通して供給される冷却水で冷却して凝縮する凝縮器７Ｃとを含んで構成される。凝縮器７Ｃで凝縮された冷媒液は絞りを経由して、蒸発器７Ｅに戻される。
【００３４】
図６のフロー図を参照して、本発明の実施の形態で使用する二段吸収冷凍機３ａの一例を説明する。図４では単効用の吸収冷凍機を説明したが、単効用の場合は、欲しい冷水の温度によるが、熱源の温度は８０℃以上が好ましい。燃料電池２やその他の排温水源から供給される温水の温度は、通常５０〜８０℃程度であるので、単効用吸収冷凍機ではあまり低い温度の冷水を得ることが困難である。二段吸収冷凍機では、比較的低温の温水を熱源として利用できる。
【００３５】
二段吸収冷凍機３ａは、蒸発器Ｅａ、低圧吸収器ＡＬ、高圧吸収器ＡＨ、低圧再生器ＧＬ、高圧再生器ＧＨ、凝縮器Ｃａ、低圧溶液熱交換器１０Ｌ、高圧溶液熱交換器１０Ｈ、低圧溶液ポンプ１１Ｌ、高圧溶液ポンプ１１Ｈを含んで構成されている。
【００３６】
二段吸収冷凍機３ａの構成を説明する。蒸発器Ｅａと低圧吸収器ＡＬは冷媒ガスが流れるように連通している。低圧吸収器ＡＬは、低圧再生器ＧＬと低圧希溶液配管で接続されている。低圧希溶液配管には、低圧吸収器ＡＬ側から、低圧溶液ポンプ１１Ｌ、低圧溶液熱交換器１０Ｌが、この順番で挿入配置されている。
【００３７】
また、低圧再生器ＧＬと低圧吸収器ＡＬは、低圧濃溶液配管で接続されており、低圧濃溶液配管には、低圧溶液熱交換器１０Ｌが挿入配置されている。
【００３８】
また、低圧再生器ＧＬと高圧吸収器ＡＨは冷媒ガスが流れるように連通している。高圧吸収器ＡＨは、高圧再生器ＧＨと高圧希溶液配管で接続されている。高圧希溶液配管には、高圧吸収器ＡＨ側から、高圧溶液ポンプＨ、高圧溶液熱交換器１０Ｈが、この順番で挿入配置されている。
【００３９】
また、高圧再生器ＧＨと高圧吸収器ＡＨは、高圧濃溶液配管で接続されており、高圧濃溶液配管には、高圧溶液熱交換器１０Ｈが挿入配置されている。
【００４０】
また、高圧再生器ＧＨと凝縮器Ｃａは冷媒ガスが流れるように連通している。凝縮器Ｃａは、蒸発器Ｅａと冷媒配管で接続されている。
【００４１】
蒸発器Ｅａ、低圧吸収器ＡＬ、高圧吸収器ＡＨ、低圧再生器ＧＬ、高圧再生器ＧＨ、凝縮器Ｃａは、それぞれ伝熱管を有する。
【００４２】
熱源からの温水配管１３ｂは温水を低圧再生器ＧＬと高圧再生器ＧＨに、並列的に供給し、温水はそれぞれで溶液の加熱に用いられるように構成されている。
【００４３】
引き続き図６のフロー図を参照して、二段吸収冷凍機３ａの作用を説明する。蒸発器Ｅａで冷水伝熱管を流れる冷水から熱を奪い蒸発した冷媒蒸気は、低圧吸収器ＡＬにて冷却水１５で冷却されている溶液に吸収される。冷水は配管１４ｂを通して供給され、冷却された冷水は、配管１４を通して冷凍負荷に戻される。
【００４４】
冷媒を吸収して吸収剤の濃度が低下した希溶液は、低圧溶液ポンプ１１Ｌによって低圧溶液熱交換器１０Ｌに送られ、そこで低圧再生器ＧＬから戻る高温の濃溶液と熱交換し、昇温して低圧再生器ＧＬに入る。低圧再生器ＧＬでは、配管１３ｂを通して供給される熱媒（ここでは温水）によって溶液が加熱され、冷媒蒸気を放出して濃縮される。この濃溶液は低圧溶液熱交換器１０Ｌにて熱回収され温度が低下して低圧吸収器ＡＬに戻る。温度の低下した温水は、配管１３を通して熱源に戻される。
【００４５】
一方、低圧再生器ＧＬで発生した冷媒蒸気は、高圧吸収器ＡＨにて配管１８ｂを通して供給される冷却水で冷却されている溶液に吸収される。冷媒を吸収して吸収剤の濃度が低下した希溶液は、高圧溶液ポンプ１１Ｈによって高圧溶液熱交換器１０Ｈに送られ、そこで高圧再生器ＧＨから戻る高温の濃溶液と熱交換し、昇温して高圧再生器ＧＨに入る。高圧吸収器ＡＨで温度の上昇した冷却水は配管１８を通して冷却塔に戻される。
【００４６】
高圧再生器ＧＨでは、配管１３ｂを通して供給される熱媒（ここでは温水）によって溶液が加熱され、冷媒蒸気を放出して濃縮される。この濃溶液は高圧溶液熱交換器１０Ｈにて熱回収され温度が低下して高圧吸収器ＡＨに戻る。高圧再生器ＧＨで発生した冷媒蒸気は、凝縮器Ｃａで配管１８ｂを通して供給される冷却水で冷却され、凝縮して蒸発器Ｅａに戻り、サイクルを一巡する。高圧再生器ＧＨで温度の低下した温水は、配管１３を通して熱源に戻され、凝縮器Ｃａで温度の上昇した冷却水は配管１８を通して冷却塔に戻される。
【００４７】
二段吸収冷凍機では、低圧吸収器ＡＬ、高圧吸収器ＡＨ、及び低圧再生器ＧＬと高圧再生器ＧＨを備えるので、ＣＯＰは低いものの、加熱源の温度が比較的低くても運転が可能である。したがって、燃料電池のような排温水源からの温水を熱源としての運転が可能である。
【００４８】
以上説明したように、本発明の実施の形態では、燃料電池２の排熱および電気圧縮冷凍機７の凝縮熱で貯湯漕１の温水を加熱する。また、太陽熱集熱器８で貯湯漕１の温水を加熱する。貯湯漕１を熱源として吸収冷凍機３を運転する。貯湯漕１から給湯や暖房を行う。吸収冷凍機３の吸収熱および凝縮熱で貯湯漕１への給水を予熱する。燃料電池２の放熱を冷却塔５で行う。
【００４９】
このように、本発明の実施の形態によれば、燃料電池２、吸収冷凍機３、電気圧縮冷凍機７、貯湯漕１、冷却塔５、太陽熱集熱器８でコージェネレーション（熱電併給）システムを構成する。このシステムは、特に一般家庭向けの燃料電池と吸収冷凍機を組合せたコージェネレーションシステムとして適している。本発明の実施の形態によれば、電力需要と熱需要のアンバランスを解決し、エネルギーを有効に利用することができる。
燃料電池からの排熱を蓄えるための貯湯漕に、電気圧縮冷凍機の凝縮熱を投入することによって、この貯湯漕を熱源とする吸収冷凍機の冷熱量を増加させることが可能になり、電力需要と熱需要のアンバランスを効率よく解決して、熱エネルギーの有効利用を図ることができる。さらに、各機器と貯湯漕との熱の出入りを双方向とすることで、雑多な排熱や太陽熱などを有効利用することができる。
【００５０】
さらに本発明の実施の形態を説明すれば、
（１）本システムの適用先は一般家庭に限らず、事業用でもよい。
（２）貯湯漕１に蓄えるのは温水に限らず、他の熱媒でもよい。
（３）吸収冷凍機３は単効用に限らず、２重効用、１−２重効用、２段吸収などでもよい。
（４）吸収冷凍機３の作動媒体は、臭化リチウムと水に限らず、水を吸収剤としアンモニアを冷媒としてもよく、さらに別の吸収剤と冷媒を用いてもよい。
（５）給湯機４はこれに限らず、温熱負荷、典型的には温水負荷であればよく、例えば暖房装置であってもよい。
（６）冷却塔５は、典型的には水を蒸発させて残りの水の温度を下げるものであるが、これに限らず、空冷熱交換器でもよい。
（７）室内空調機６は冷房の室内機に限らず、冷凍負荷であればよく、例えば冷蔵・冷蔵庫やショーケースなどであってもよい。
（８）電気圧縮冷凍機８は、交流電動機駆動であっても直流電動機駆動であってもよいが、直流電動機駆動にすると、燃料電池２で発電した直流電力を交流に変換する必要がなく、その際に発生する損失をなくすことができるため、投入エネルギーをより効率よく利用できる。吸収冷凍機３の補機ポンプ類や、冷却塔５のファン、ポンプなどの電動機についても同様である。
（９）温水負荷が例えば浴槽であるとき、その浴槽からの排水によって貯湯漕１に供給する水道水を予熱してもよい。
（１０）各機器は１台に限らず複数であってもよい。
【００５１】
【発明の効果】
以上のように本発明によれば、燃料電池からの排熱を貯える貯湯槽を備えるので、冷熱需要に拘わらず燃料電池の運転が可能であり、貯湯槽に貯えられた熱を熱源として運転し、冷熱を発生し、該冷熱を冷熱需要先に供給する吸収冷凍機を備えるので、燃料電池の発電量にかかわらず冷熱需要先に冷熱を供給することができ、燃料電池又は吸収冷凍機からの排熱を放散する冷却塔を備えるので、貯湯槽が満杯になっても発電することが可能であり、貯湯槽に熱を供給しながら冷熱を発生し、該冷熱を冷熱需要先に供給する圧縮冷凍機を備えるので、吸収冷凍機による冷熱発生量が不足する場合に、効率良く冷熱量を補填することができる吸収冷凍システムを提供することが可能となる。
【図面の簡単な説明】
【図１】本発明の第１の実施の形態である吸収冷凍システムのフロー図である。
【図２】本発明の第２の実施の形態である吸収冷凍システムのフロー図である。
【図３】本発明の実施の形態で用いる燃料電池の一例を示すフロー図である。
【図４】本発明の実施の形態で用いる単効用吸収冷凍機の一例を示すフロー図である。
【図５】本発明の実施の形態で用いる圧縮冷凍機の一例を示すフロー図である。
【図６】本発明の実施の形態で用いる二段吸収冷凍機の一例を示すフロー図である。
【符号の説明】
１  貯湯槽
２  燃料電池
２ａ  燃料電池スタック
２ｂ  改質装置
３  吸収冷凍機
３Ａ  吸収器
３Ｃ  凝縮器
３Ｅ  蒸発器
３Ｇ  再生器
３ａ  二段吸収冷凍機
４  給湯器
５  冷却塔
６  室内空調機
７  電気圧縮冷凍機
７Ｃ  凝縮器
７Ｅ  蒸発器
７ＣＯＭ  圧縮機
８  太陽熱集熱器
９  熱交換器
１１ａ、１２ａ、１３ａ、１４ａ、１６ａ、１８ａ２１ａ  ポンプ
【図１】
2004211979.tif 000003
【図２】
2004211979.tif 000004
【図３】
2004211979.tif 000005
【図４】
2004211979.tif 000006
【図５】
2004211979.tif 000007
【図６】
2004211979.tif 000008